(57)【要約】【課題】複数の撮影画像に同時にペン入力画像の入力を行なえる写真撮影装置を提供する。【解決手段】被写体を複数回撮影して複数の撮影画像を得るカメラ６と、上記撮影画像を表示するディスプレイ８と、使用者の操作により上記撮影画像と合成されるペン入力画像を入力する複数のタッチペン１２と、上記撮影画像とペン入力画像を合成する画像合成手段３０と、撮影画像とペン入力画像との合成画像を印刷するプリンタ９とを備え、上記ディスプレイ８の１つに、上記撮影画像複数をそれぞれ１枚の画像として実質的に同じ大きさで同時に表示するとともに、上記複数のタッチペン１２それぞれにより上記ディスプレイ８の１つに同時に表示された複数の撮影画像のそれぞれに対して同時期にペン入力画像を入力しうるようにしたことにより、１回のプレイで使用者が納得できる撮影画像や手書き画像を得やすく、使用者の満足度が高くなる。【選択図】図２
2004153852.tif 000002
【特許請求の範囲】
【請求項１】
使用者を含む被写体を撮影する写真撮影装置であって、被写体を複数回撮影して複数の撮影画像を得る撮影手段と、上記撮影手段で撮影された撮影画像を表示するディスプレイと、使用者の操作により上記撮影画像と合成される手書き画像等を含むペン入力画像を入力する複数のペン入力手段と、上記撮影画像とペン入力画像を合成する画像合成手段と、撮影画像とペン入力画像との合成画像を印刷出力する印刷手段とを備え、上記ディスプレイ１つに、上記撮影手段で撮影された撮影画像複数をそれぞれ１枚の画像として実質的に同じ大きさで同時に表示するとともに、上記複数のペン入力手段それぞれにより上記ディスプレイ１つに同時に表示された複数の撮影画像のそれぞれに対して同時期にペン入力画像を入力しうるようになっていることを特徴とする写真撮影装置。
【請求項２】
使用者を含む被写体を撮影する写真撮影方法であって、カメラにより被写体を複数回撮影して複数の撮影画像を得る撮影ステップと、上記撮影ステップで撮影された撮影画像をディスプレイに表示する画像表示ステップと、使用者による複数のペン入力手段の操作により上記撮影画像と合成される手書き画像等を含むペン入力画像を入力するペン入力ステップと、上記撮影画像とペン入力画像を画像合成手段により合成する画像合成ステップと、撮影画像とペン入力画像との合成画像を印刷手段により印刷出力する印刷ステップとを備え、上記画像表示ステップにおいて、上記ディスプレイ１つに、上記撮影ステップで撮影された撮影画像複数をそれぞれ１枚の画像として実質的に同じ大きさで同時に表示するとともに、上記ペン入力ステップにおいて、上記複数のペン入力手段それぞれにより上記ディスプレイ１つに同時に表示された複数の撮影画像のそれぞれに対して同時期にペン入力画像を入力しうるようにしたことを特徴とする写真撮影方法。
【請求項３】
使用者を含む被写体を撮影する写真撮影プログラムであって、カメラにより被写体を複数回撮影して複数の撮影画像を得る撮影ステップと、上記撮影ステップで撮影された撮影画像をディスプレイに表示する画像表示ステップと、使用者によるペン入力手段の操作により上記撮影画像と合成される手書き画像等を含むペン入力画像を入力するペン入力ステップと、上記撮影画像とペン入力画像を画像合成手段により合成する画像合成ステップと、撮影画像とペン入力画像との合成画像を印刷手段により印刷出力する印刷ステップと、上記画像表示ステップにおいて、上記ディスプレイ１つに、上記撮影ステップで撮影された撮影画像複数をそれぞれ１枚の画像として実質的に同じ大きさで同時に表示するとともに、上記ペン入力ステップにおいて、上記複数のペン入力手段それぞれにより上記ディスプレイ１つに同時に表示された複数の撮影画像のそれぞれに対して同時期にペン入力画像を入力しうるステップとをコンピュータ装置に実行させることを特徴とする写真撮影プログラム。
【発明の詳細な説明】
【技術分野】
【０００１】
本発明は、ゲームセンター等に設置され、硬貨等の投入により使用者を撮影し、撮影画像をプリントする写真撮影装置および方法ならびにプログラムに関するものである。
【背景技術】
【０００２】
近年、ゲームセンター等において、写真を撮影してシールプリント等にする写真撮影装置が数多く設置されている。このような写真撮影装置としては、一般に、図１４に示すようなものが用いられている。このものは、本体５２の内部に、略４５°の角度をもってハーフミラー５３が設けられている。このハーフミラー５３の奥に、使用者５４を撮影するカメラ５５が設けられ、ハーフミラー５３の下方には、上記カメラ５５で撮影された画像を表示するモニタ５６が設けられている。図において５１はコントローラ、５７は写真プリント５８を印刷するプリンタである。
【０００３】
上記写真撮影装置では、ハーフミラー５３を透してカメラ５５で撮影された画像がモニタ５６に表示され、このモニタ５６に表示された画像がハーフミラー５３に反射して使用者５４によって確認できるようになっている。そして、使用者５４は、モニタ５６に映った自分の姿を確認しながら所望のポーズをとり、好みのところでコントローラ５１を操作して静止画を撮影することが行われる。そして、この静止画は、適当なフレームや前景の画像と合成されて写真プリント５８として印刷される。
【特許文献１】特開２００２−７７７８２
【特許文献２】実用新案登録第３０６４４８６号
【特許文献３】実用新案登録第３０５７８７６号
【発明の開示】
【発明が解決しようとする課題】
【０００４】
しかしながら、上記写真撮影装置では、カメラ５５で撮影した写真をシール等の写真プリント５８として、その場で出力できるにすぎない。最近では、写真撮影装置利用人口の増加とともに、そのニーズも多様化している。そこで、これらのニーズに応えるため、使用者５４の画像に合成されるフレームや前景として各種の趣向を凝らしたものも数多く提供されているが、単にその場で写真プリント５８として出力するだけの画一的なものでは満足されなくなってきている。
【０００５】
そこで、最近では、カメラで撮影した画像をメモリに固定して液晶タブレット等に表示し、表示された固定画像にタッチペン等で手書き画像を入力して上記固定画像に合成する写真撮影装置も考案され実用化されている。
【０００６】
上記写真撮影装置では、一旦撮影画像を静止画として固定してこの１枚の撮影画像に手書き画像を入力し合成してプリントするため、１回のプレイでは手書き画像が合成された撮影画像が１枚得られるにすぎない。ところが、１回のプレイで納得のいく撮影画像や手書き画像の入力を行なえればよいが、必ずしもそのような場合ばかりとは限らず、十分に納得できないままプレイが終了して画像がプリントアウトされてしまうこともしばしば起こりうる。このような場合、使用者としては、十分な満足を得ることができず、納得できるプリントを得るためには再び最初からプレイをやり直さなければならないため、時間も費用も同じだけかかり、無駄が多かった。一方、ゲームセンター等にとっては、同じ使用者に連続プレイをされると、それだけ顧客の回転率が悪くなって顧客に不満を与えかねない。
【０００７】
本発明は、このような事情に鑑みなされたもので、複数の撮影画像に同時に手書き画像等の第２画像の入力を行なえる写真撮影装置および方法ならびにプログラムの提供を目的とする。
【課題を解決するための手段】
【０００８】
上記の目的を達成するため、本発明の写真撮影装置は、使用者を含む被写体を撮影する写真撮影装置であって、被写体を複数回撮影して複数の撮影画像を得る撮影手段と、上記撮影手段で撮影された撮影画像を表示するディスプレイと、使用者の操作により上記撮影画像と合成される手書き画像等を含むペン入力画像を入力する複数のペン入力手段と、上記撮影画像とペン入力画像を合成する画像合成手段と、撮影画像とペン入力画像との合成画像を印刷出力する印刷手段とを備え、上記ディスプレイ１つに、上記撮影手段で撮影された撮影画像複数をそれぞれ１枚の画像として実質的に同じ大きさで同時に表示するとともに、上記複数のペン入力手段それぞれにより上記ディスプレイ１つに同時に表示された複数の撮影画像のそれぞれに対して同時期にペン入力画像を入力しうるようになっていることを要旨とする。
【０００９】
また、本発明の写真撮影方法は、使用者を含む被写体を撮影する写真撮影方法であって、カメラにより被写体を複数回撮影して複数の撮影画像を得る撮影ステップと、上記撮影ステップで撮影された撮影画像をディスプレイに表示する画像表示ステップと、使用者による複数のペン入力手段の操作により上記撮影画像と合成される手書き画像等を含むペン入力画像を入力するペン入力ステップと、上記撮影画像とペン入力画像を画像合成手段により合成する画像合成ステップと、撮影画像とペン入力画像との合成画像を印刷手段により印刷出力する印刷ステップとを備え、上記画像表示ステップにおいて、上記ディスプレイ１つに、上記撮影ステップで撮影された撮影画像複数をそれぞれ１枚の画像として実質的に同じ大きさで同時に表示するとともに、上記ペン入力ステップにおいて、上記複数のペン入力手段それぞれにより上記ディスプレイ１つに同時に表示された複数の撮影画像のそれぞれに対して同時期にペン入力画像を入力しうるようにしたことを要旨とする。
【００１０】
また、本発明の写真撮影プログラムは、使用者を含む被写体を撮影する写真撮影プログラムであって、カメラにより被写体を複数回撮影して複数の撮影画像を得る撮影ステップと、上記撮影ステップで撮影された撮影画像をディスプレイに表示する画像表示ステップと、使用者によるペン入力手段の操作により上記撮影画像と合成される手書き画像等を含むペン入力画像を入力するペン入力ステップと、上記撮影画像とペン入力画像を画像合成手段により合成する画像合成ステップと、撮影画像とペン入力画像との合成画像を印刷手段により印刷出力する印刷ステップと、上記画像表示ステップにおいて、上記ディスプレイ１つに、上記撮影ステップで撮影された撮影画像複数をそれぞれ１枚の画像として実質的に同じ大きさで同時に表示するとともに、上記ペン入力ステップにおいて、上記複数のペン入力手段それぞれにより上記ディスプレイ１つに同時に表示された複数の撮影画像のそれぞれに対して同時期にペン入力画像を入力しうるステップとをコンピュータ装置に実行させることを要旨とする。
【発明の効果】
【００１１】
すなわち、本発明は、画像表示手段に撮影画像を同時に複数表示するとともに、ペン入力手段により上記複数の撮影画像に合成されるペン入力画像を入力するようになっているため、複数の撮影画像に同時に手書き画像等のペン入力画像の入力を行なえる。したがって、１回のプレイで使用者が納得できる撮影画像やペン入力画像を得やすく、使用者の満足度が高くなる。このため、プレイのやり直しの必要性が低下し、使用者にとっては時間と費用の節約となり、ゲームセンター等にとっては顧客の回転率の低下を防止できる。また、ペン入力手段を複数備えているため、複数人でプレイする場合に複数人がそれぞれ第２画像の入力を行なうことができ、顧客それぞれの満足度が高まる。さらに、撮影手段により被写体を複数回撮影することにより得られた複数の撮影画像を同時にディスプレイ１つに表示するようになっているため、１回のプレイで複数回の撮影による撮影画像を得てそれぞれペン入力画像を入力して合成画像を得ることができ、使用者が納得できる撮影画像を得やすい。また、バラエティに富んだ合成画像が得られ、使用者の楽しみが大きくなる。
【００１２】
本発明において、撮影手段により被写体を複数回撮影した複数の撮影画像の中から、使用者により選択された複数の撮影画像を同時に画像表示手段に表示するようになっている場合には、使用者が選択した好みの画像を用いることができることから、より使用者が納得できる撮影画像を得やすい。
【００１３】
本発明において、撮影手段により撮影した撮影画像を複数に複写して同時に画像表示手段に表示するようになっている場合には、同じ撮影画像を使って異なる第２画像を入力して合成した写真が得られる。
【００１４】
本発明において、複数の撮影画像を並べてディスプレイに表示するようになっている場合には、複数の撮影画像を見比べながら第２画像の入力ができる。
【００１５】
本発明において、並べて表示された撮影画像の境界をまたぐようにペン入力画像を入力しうるようになっている場合には、並べて表示された撮影画像の境界をまたぐように第２画像が合成された写真が得られる。
【００１６】
本発明において、上記印刷手段により複数の撮影画像にかかる合成画像を別々の写真として出力するようになっている場合には、複数の撮影画像にかかる合成画像がそれぞれ出力された複数の写真が得られる。
【００１７】
本発明において、上記印刷手段により複数の撮影画像にかかる合成画像を１枚の写真として出力するようになっている場合には、複数の撮影画像にかかる合成画像が出力された写真が得られる。
【発明を実施するための最良の形態】
【００１８】
つぎに、本発明を実施するための最良の形態を詳しく説明する。
【実施例１】
【００１９】
図１は、本発明の写真撮影装置を説明するための図である。この写真撮影装置は、内部および表面に各種の装置が設けられた筐体１と、上記筐体１の上下から被写体２の背後まで達するように突き出された支柱３とを備えている。そして、上記両支柱３の先端部分に、撮影の際の背景となるカーテン５が吊設され、上記筐体１，支柱３，カーテン５で囲まれた空間が、被写体２の撮影用ブースを形成している。上側の支柱３には、撮影用ブース内の被写体２を照射する２つのライト４が取り付けられている。
【００２０】
上記筐体１の内部には、被写体２を撮影するカメラ６が設けられている。上記筐体１のカメラ６の被写体２側に位置する面には、透明板１０が嵌め込まれている。また、上記筐体１の内部には、上記カメラ６から画像データを受信して画像合成等の処理を行なうコンピュータ装置７が設けられている。
【００２１】
また、上記筐体１の被写体２側には、上記コンピュータ装置７から送信された合成画像等の画像信号を受信して画像を表示するディスプレイ８が設けられている。さらに、上記筐体１の内部には、コンピュータ装置７から送信された画像データを受信し、この画像を印刷媒体１５に印刷するプリンタ９が設けられている。このプリンタ９で印刷された印刷媒体１５は、筐体１前面に形成された送出口１９から送出されるようになっている。
【００２２】
さらに、上記筐体１の被写体２側には操作パネルが設けられ、この操作パネルにコントローラ１１が設けられている。上記コントローラ１１は、タッチペン１２を備えており、使用者２がディスプレイ８に表示される操作指示に従ってディスプレイ８の表面をタッチペン１２でタップ（軽く叩く）等することにより、各種の操作信号がコンピュータ装置７に送られ、後述する各種の操作が行なわれるようになっている。
【００２３】
また、上記タッチペン１２は、その先端をディスプレイ８の表面に接触させて文字や図形等を描いて入力しうるようになっており、手書き入力された文字・図形等の画像データやスタンプ画像等が、カメラ６で撮影された被写体２の撮影画像と合成されてディスプレイ８に表示され、その合成画像が印刷媒体１５に印刷されるようになっている。
【００２４】
また、上記タッチペン１２は、ディスプレイ８に表示される指示に従って、使用者２が操作することによりアンケートを入力しうるようになっており、入力されたアンケートの結果を外部に送信しうるようになっている。
【００２５】
また、筐体１の前面には、対価としてのコインを投入するコイン投入口（図示せず）が設けられ、筐体１内部のコイン投入口に隣接した位置に、投入されたコインを検出してコンピュータ装置７に検出信号を送信するコイン検出部１７（図２参照）が設けられている。また、筐体１前面の適所には、コンピュータ装置７から音声信号を受信して出力するスピーカ（図示せず）が設けられている。
【００２６】
この例において、使用者２がディスプレイ８から見る画像およびプリンタ９から印刷される画像は、被写体２の撮影像と、タッチペン１２による手書き入力画像等とが合成されたものである。
【００２７】
つぎに、上記コンピュータ装置７のシステム構成について詳しく説明する。
【００２８】
図２に示すように、コンピュータ装置７は、タッチペン１２によりディスプレイ８の入力部３５に入力された各種の操作信号をコントローラ１１を介して受信し、受信した操作信号に応じて各種制御を行なう制御手段３１を備えている。上記制御手段３１は、コイン検出部１７からの検出信号を受信することにより、撮影等の制御を開始するようになっている。
【００２９】
上記ディスプレイ８には、タッチペン１２によって手書き画像や操作信号が入力される入力部３５と、画像等を表示する表示部３６とが設けられている。上記タッチペン１２で入力された手書き画像等は、ペン入力画像記憶部３２に記憶され、記憶された手書き画像等のデータは、後述する複数画像合成手段３０に送られる。また、タッチペン１２によって入力された操作信号は、コントローラ１１を介して制御手段３１に送られ、各種の制御が行なわれる。
【００３０】
上記コンピュータ装置７には、タッチペン１２によるペン入力画像の入力可能時間を計測するタイマ２６が設けられている。上記タイマ２６は、制御手段３１による手書き画像開始の指示メッセージをディスプレイ８に表示させるのとほぼ同時に計測を開始する。上記タイマ２６の計測時間があらかじめ設定された所定の入力可能時間（例えば９０秒等）に達したときに手書き画像等の入力を停止してつぎの動作に移るようになっている。
【００３１】
そして、上記コンピュータ装置７には固定画像記憶部３８が設けられ、上記被写体２によるタッチペン１２の操作により所望のシャッタタイミングで撮像映像を静止画像として固定するようになっている。また、上記コンピュータ装置７には、シャッタ操作によるカメラ６での撮影回数をカウントするカウンタ２５が設けられている。上記カウンタ２５は、コイン検出部１７による最初のコインの検出によってリセットされてカウントを開始する。上記カウンタ２５のカウントがあらかじめ設定された所定の撮影可能回数（例えば４回等）に達するまで、一定の時間間隔で撮影を繰り返し、複数の撮影画像（静止画像）を得るようになっている。
【００３２】
上記複数の撮影画像は、ディスプレイ８の表示部３６に一覧表示されて使用者２に対してプレビュー確認させるようになっている。そして、上記コンピュータ装置７には、画像選択手段３７が設けられ、上記一覧表示された複数の撮影画像のなかから使用者がタッチペン１２を操作して好みの画像を選択するようになっている。このとき選択される画像はひとつでもよいし複数でもよい。そして、上記画像選択手段３７で選択された撮影画像は、ディスプレイ８の表示部３６に並べて表示され、この状態で手書き画像の入力が行なわれる。
【００３３】
さらに、上記コンピュータ装置７には複数画像合成手段３０が設けられ、上記画像選択手段３７で選択され固定画像記憶部３８に固定された静止画像に、タッチペン１２によってディスプレイ８の入力部３５に入力され、ペン入力画像記憶部３２に記憶された文字や図形等の手書き画像等を合成するようになっている。上記複数画像合成手段３０で合成された合成画像は、ディスプレイ８の表示部３６に表示されるようになっている。
【００３４】
また、上記コンピュータ装置７には、送受信手段３９が設けられている。上記送受信手段３９は、例えばインターネット等の通信回線（ＮＥＴ）に接続され、撮影画像や合成画像を上記通信回線を介して外部に出力し、外部のサーバに格納したり端末装置等に出力して表示したり印刷したりできるようになっている。
【００３５】
さらに、上記コンピュータ装置７は、プリンタ９による印刷を制御する印刷制御部３４を備えている。上記印刷制御部３４は、使用者２によるタッチペン１２の操作によって選択されたシートレイアウトにより、印刷媒体１５に合成画像を印刷するよう制御する。このとき、使用者２による指示により、手書き画像入力の際に並べて表示された撮影画像を１枚の写真として印刷したり、別々の写真として印刷することが行なわれる。
【００３６】
上記写真撮影装置の動作の一例について、図３のフローチャートを参照しながら説明する。ここで、図３において、「Ｓ」はステップを意味する。
【００３７】
まず、使用者２が最初のコインを投入すると（Ｓ１００）、カメラ６による被写体２の撮像が開始され（Ｓ１１０）、ディスプレイ８の表示部３６に撮像映像が動画としてリアルタイムで表示される。
【００３８】
ついで、使用者２がディスプレイ８の表示画像を見ながら被写体２の位置調整を完了した後に、タッチペン１２を用いて画面の指示に従ってシャッタ操作の操作信号を入力すると（Ｓ１２０）、使用者２にポーズをとるよう指示し、それから所定時間のカウントダウン後に、所定の瞬間の撮像映像が固定画像記憶部３８に固定される（Ｓ１３０）。このとき、ディスプレイ８には、そのときの撮影画像が静止画像として表示される。
【００３９】
つぎに、カウンタ２５が規定の撮影枚数のカウントに達しているか否かにより、規定の枚数に達していなければステップ１２０に戻ってシャッタ操作と画像の固定を繰り返し、規定の枚数に達していればつぎのステップに進む（Ｓ１４０）。
【００４０】
ステップ１４０において、規定の撮影回数に達していれば、図４に示すように、全ての撮影画像２２ａ，２２ｂ，２２ｃ，２２ｄの一覧をディスプレイ８に表示して使用者２に対して好みの画像の選択を促す（Ｓ１５０）。この例では、４回のシャッタ操作により撮影された４枚の撮影画像が表示されている。また、この例では、４人の被写体Ａ，Ｂ，Ｃ，Ｄが、ＡとＢ，ＣとＤ，ＡとＣ，ＢとＤのそれぞれ２人ずつのペアになって交代で撮影を行なっている。
【００４１】
ついで、使用者２は、タッチペン１２の先端で好みの画像をタップすることにより、撮影画像の選択を行なう（Ｓ１６０）。撮影画像の選択が行なわれると、図５に示すように、選択された撮影画像２２ａ，２２ｂがディスプレイ８の表示部３６に並べて表示される（Ｓ１７０）。この状態で、タッチペン１２を操作することにより手書き画像等の入力が行なわれる。
【００４２】
図５の手書き画像入力画面において、２１ａ，２１ｂ，２１ｃは、それぞれ手書きペン，スタンプ画像，アルファベット文字を入力する際にタッチペン１２でタップするアイコンである。
【００４３】
手書き画像２７を入力する際には、手書きペンのアイコン２１ａをタッチペン１２の先端でタップしてから、タッチペン１２の先端を、並べて表示された撮影画像２２ａ，２２ｂの上に接触させて絵や文字を描くことにより、手書き画像２７の入力が行なわれる。
【００４４】
スタンプ画像２８を入力する際には、スタンプ画像のアイコン２１ｂをタッチペン１２の先端でタップしてから、タッチペン１２の先端を、並べて表示された撮影画像２２ａ，２２ｂの上に接触させることにより、スタンプ画像２８の入力が行なわれる。
【００４５】
アルファベット文字を入力する際には、アルファベット文字のアイコン２１ｃをタッチペン１２の先端でタップしてから、タッチペン１２の先端を、並べて表示された撮影画像２２ａ，２２ｂの上に接触させることにより、アルファベット文字の入力が行なわれる。
【００４６】
このようにして、手書き画像２７やスタンプ画像２８等が入力され、図６に示すように、並べて表示された撮影画像２２ａ，２２ｂの上に合成される（Ｓ１８０）。このとき、上記手書き画像２７やスタンプ画像２８は、ふたつの撮影画像２２ａ，２２ｂの境界線２９をまたぐように入力され合成されるようになっている。
【００４７】
そして、手書き画像等の入力は、タイマ２６の計測時間があらかじめ設定された所定の入力可能時間（例えば９０秒等）に達するまで続けられる。入力可能時間に達すると、手書き画像等の入力が停止され、印刷の際のシートレイアウトの選択が行なわれる（Ｓ１９０）。ここでは、シートレイアウトの選択を促す画面が表示され、使用者２は、シールプリントかカードプリントか、シールプリントの場合は何枚のシールにするか等の選択をタッチペン１２により行なう。
【００４８】
ついで、シートレイアウトの選択が終了すると、合成画像の画像データがプリンタ９に送られ、印刷が開始される（Ｓ２００）。そして、被写体２の撮影画像とペン入力画像等が合成された合成画像が印刷された印刷媒体１５が送出される。
【００４９】
このとき、使用者２の選択により、図７に示すように、手書き画像２７等の入力画面（図５および図６参照）において並べて表示された撮影画像２２ａ，２２ｂの境界線２９を消して、２枚の撮影画像２２ａ，２２ｂを１枚のシールプリント２４に印刷することが行なわれる。図において２３はシール台紙である。
【００５０】
また、使用者２の選択により、図８に示すように、手書き画像２７等の入力画面（図５および図６参照）において並べて表示された２枚の撮影画像２２ａ，２２ｂを別々のシールプリント２４に印刷することも行なわれる。
【００５１】
このように、上記写真撮影装置および方法によれば、複数の撮影画像２２ａ，２２ｂに同時にそれぞれ手書き画像２７等の入力を行なえるため、１回のプレイで使用者２が納得できる撮影画像２２ａ，２２ｂや手書き画像２７を得やすく、使用者２の満足度が高くなる。このため、プレイのやり直しの必要性が低下し、使用者２にとっては時間と費用の節約となり、ゲームセンター等にとっては顧客の回転率の低下を防止できる。
【００５２】
そして、上記写真撮影方法は、コンピュータ装置７で実行されるプログラムによって実現され、上記プログラムは、ＣＤ−ＲＯＭ等の記録媒体にコンピュータ読み取り可能に記録されて提供されたり、あるいは通信回線等を介して提供される。
【００５３】
なお、上記写真撮影装置では、合成画像を印刷するかわりに、送受信手段３９により通信回線を介して外部に出力し、外部のサーバに格納したり端末装置等に出力して表示したり、あるいは外部で印刷したりすることもできる。
【００５４】
また、上記写真撮影装置では、カメラ６での撮影回数をカウンタ２５でカウントし、あらかじめ設定された撮影可能回数に達したときに、撮影画像の選択を行なうようにしたが、これに限定するものではなく、カメラ６での撮影可能時間をタイマ２６で計測し、あらかじめ設定された撮影可能時間に達したときに、撮影画像の選択を行なうようにしてもよい。
【００５５】
図９は、本発明の写真撮影装置を説明するための他の形態である。この写真撮影装置は、複数回の撮影による複数の撮影画像から好みの画像を選択するのではなく、１つの撮影画像を複写して、複写された複数の画像をディスプレイ８に並べて表示し、手書き画像２７等の入力を行なうようになっている。すなわち、この写真撮影装置では、画像選択手段３７に換えて画像複写手段４０が設けられ、固定画像記憶部３８に固定された撮影画像を複数に複写するようになっている。それ以外は、上記第１の実施の形態と同様であり、同様の部分には同じ符号を付している。
【００５６】
上記写真撮影装置の動作の一例について、図１０のフローチャートを参照しながら説明する。ここで、図１０において、「Ｓ」はステップを意味する。
【００５７】
まず、使用者２が最初のコインを投入すると（Ｓ１００）、カメラ６による被写体２の撮像が開始され（Ｓ１１０）、ディスプレイ８の表示部３６に撮像映像が動画としてリアルタイムで表示される。
【００５８】
ついで、使用者２がディスプレイ８の表示画像を見ながら被写体２の位置調整を完了した後に、タッチペン１２を用いて画面の指示に従ってシャッタ操作の操作信号を入力すると（Ｓ１２０）、使用者２にポーズをとるよう指示し、それから所定時間のカウントダウン後に、所定の瞬間の撮像映像が固定画像記憶部３８に固定される（Ｓ１３０）。このとき、ディスプレイ８には、そのときの撮影画像が静止画像として表示される。
【００５９】
そして、固定された静止画像をディスプレイ８の表示部３６に表示して使用者２に対してプレビュー確認させ、ディスプレイ８にはプレビューを確認させた静止画像について撮りなおしを希望するか否かの選択を促すメッセージを表示する（Ｓ１４５）。
【００６０】
ステップ１４５において、使用者２が撮りなおしを希望する場合は、タッチペン１２でキャンセル操作を行なってステップ１２０に戻り、再度シャッタ操作を行なうようになっている。
【００６１】
ステップ１４５において、撮りなおしを行なわない場合は、固定された静止画像を複写し（Ｓ１６５）、図１１に示すように、複写された複数の撮影画像２２ａがディスプレイ８の表示部３６に並べて表示される（Ｓ１７５）。この状態で、タッチペン１２を操作することにより手書き画像等の入力が行なわれる（Ｓ１８０）。
【００６２】
そして、手書き画像等の入力は、タイマ２６の計測時間があらかじめ設定された所定の入力可能時間（例えば９０秒等）に達するまで続けられる。入力可能時間に達すると、手書き画像等の入力が停止され、印刷の際のシートレイアウトの選択が行なわれる（Ｓ１９０）。ここでは、シートレイアウトの選択を促す画面が表示され、使用者２は、シールプリントかカードプリントか、シールプリントの場合は何枚のシールにするか等の選択をタッチペン１２により行なう。
【００６３】
ついで、シートレイアウトの選択が終了すると、合成画像の画像データがプリンタ９に送られ、印刷が開始される（Ｓ２００）。そして、被写体２の撮影画像とペン入力画像等が合成された合成画像が印刷された印刷媒体１５が送出される。この写真撮影装置でも、上記第１の実施の形態と同様の作用効果を奏する。
【００６４】
図１２は、シートレイアウトの他の例を示す。この例では、３つの撮影画像を横に並べて手書き画像２７等の入力を行い、境界線２９を消して３つの撮影画像にかかる合成画像を並べて１枚のシールプリント２４に印刷している。このようにすることにより、小さな筐体１の小さな撮影用ブースにおいて交代で撮影することにより、多人数が並んだパノラマのような写真を得ることができる（この例では２人ずつ３回撮影して６人が並んだ写真を得ている）。
【００６５】
図１３は、本発明の写真撮影装置を示す図である。この写真撮影装置は、上述した各写真撮影装置の構成を前提とし、手書き画像等のペン入力画像を入力しうるタッチペン１２をディスプレイ８の左右にそれぞれ１本ずつ計２本備えている。そして、これにより、複数人でプレイする場合に複数人がそれぞれ第２画像の入力を行なうことができ、顧客それぞれの満足度が高まる。それ以外は、上記各実施の形態と同様であり、同様の作用効果を奏する。
【００６６】
なお、上記各実施の形態では、コインの投入により撮影を開始し、追加コインの投入により撮影可能回数の追加や手書き画像入力可能時間の延長を行なうようにしたが、これに限定するものではなく、紙幣，プリペイドカード，メダル，クレジットカード，キャッシュカード等、撮影の対価として支払いうるものであれば、各種の態様を含む趣旨である。また、これらは、単独で用いる場合だけでなく、組み合わせて用いる場合も含む趣旨である。さらに、コイン等の対価を要求することなく撮影を行なう場合も含む趣旨である。
【００６７】
また、上記各実施の形態では、カメラ６での撮像映像とペン入力画像等とのふたつの画像を合成するようにしたが、これに限定するものではなく、これらの画像に、さらに前景や背景等になるフレーム画像を合成するようにしてもよい。
【００６８】
また、上記実施の形態において、撮影を複数回行なって複数の撮影画像から使用者が好みの画像を選択するとともに、選択した画像の少なくとも１枚を複写するようにしてもよい。さらに、上記各実施の形態において、並べて同時に表示する撮影画像は、２枚に限定するものではなく、３枚以上にしてもよい。
【００６９】
また、上記実施の形態において、カメラ６としては、デジタルカメラを用いることもできるし、ビデオカメラを用いることもでき、撮影画像を電気信号に変換しうるものであれば特に限定するものではなく、各種のものを用いることができる。さらに、上記実施の形態では、１台のカメラ６を備えた例を示したが、これに限定するものではなく、複数台のカメラ６を備えるようにしても差し支えない。
【００７０】
また、上記実施の形態では、スタンプ画像は、スタンプ画像格納部（図示せず）に格納されたものを用いるようにしたが、これに限定するものではなく、フロッピディスク、ＣＤ−ＲＯＭ，ＣＤ−Ｒ、光磁気ディスク等の各種の記憶媒体に記憶された画像データを読取って使用するようにすることもできる。
【００７１】
また、上記実施の形態において、外部端末としては、例えば、携帯電話，コンピュータ装置，ファクシミリ装置，携帯情報端末等を用いることができる。これらの外部端末は普及率が高く、容易かつ安価にデータの送受信を行うことができる。また、上記外部端末として携帯電話を用いる場合、８００ＭＨｚアナログ方式，８００ＭＨｚデジタル方式，１．５ＧＨｚデジタル方式の各種携帯電話や、簡易型携帯電話（ＰＨＳ）等を用いることができるが、携帯して移動可能な電話であれば、各種のものを用いることができる。
【００７２】
また、上記実施の形態では、インターネットを介してデータを送受信する例を示したが、インターネット以外の通信回線として、例えば、アナログ電話回線，高速デジタル回線（ＩＳＤＮ回線），無線，光ファイバ，携帯電話回線（例えば、ＤｏＰａ等），ＺＡＱ，ＰＨＳ回線（例えば、ＰＩＡＦＳ，αＤＡＴＡ３２等），総合知的通信網（ＵＩＣＮ），新高度情報通信（ＶＩ＆Ｐ），衛星通信回線，有線放送，各種通信ケーブルによるデータ通信やデータ転送等があげられるが、これら以外の各種のものも用いることができる。また、接続は、常時接続であると、そのつどダイヤルアップして接続するものであるとを問わない。
【図面の簡単な説明】
【００７３】
【図１】本発明の写真撮影装置を説明するための断面図である。
【図２】コンピュータ装置のシステム構成図である。
【図３】上記写真撮影装置の動作を説明するフローチャート図である。
【図４】撮影画像の選択画面を示す図である。
【図５】手書き画像の入力画面を示す図である。
【図６】手書き画像の入力画面を示す図である。
【図７】合成画像をシールプリントに出力した状態を示す図である。
【図８】合成画像をシールプリントに出力した状態を示す図である。
【図９】本発明の写真撮影装置を説明するための他の形態に用いるコンピュータ装置のシステム構成図である。
【図１０】上記写真撮影装置の動作を説明するフローチャート図である。
【図１１】手書き画像の入力画面を示す図である。
【図１２】合成画像をシールプリントに出力した状態を示す図である。
【図１３】本発明の写真撮影装置の筐体を示す正面図である。
【図１４】従来例を示す断面図である。
【符号の説明】
【００７４】
１      筐体
２      使用者，被写体
３      支柱
４      ライト
５      カーテン
６      カメラ
７      コンピュータ装置
８      ディスプレイ
９      プリンタ
１０      透明板
１１      コントローラ
１２      タッチペン
１５      印刷媒体
１７      コイン検出部
１９      送出口
２１ａ，２１ｂ，  アイコン
２２ａ，２２ｂ，２２ｃ，２２ｄ  撮影画像
２４      シールプリント
２５      カウンタ
２６      タイマ
２７      手書き画像
２８      スタンプ画像
２９      境界線
３０      画像合成手段
３１      制御手段
３２      ペン入力画像記憶部
３４      印刷制御部
３５      入力部
３６      表示部
３７      画像選択手段
３８      固定画像記憶部
３９      送受信手段
４０      画像複写手段
５１      コントローラ
５２      本体
５３      ハーフミラー
５４      使用者
５５      カメラ
５６      モニタ
５８      写真プリント
【図１】
2004153852.tif 000003
【図２】
2004153852.tif 000004
【図３】
2004153852.tif 000005
【図４】
2004153852.tif 000006
【図５】
2004153852.tif 000007
【図６】
2004153852.tif 000008
【図７】
2004153852.tif 000009
【図８】
2004153852.tif 000010
【図９】
2004153852.tif 000011
【図１０】
2004153852.tif 000012
【図１１】
2004153852.tif 000013
【図１２】
2004153852.tif 000014
【図１３】
2004153852.tif 000015
【図１４】
2004153852.tif 000016